(57)【要約】【課題】送風ダクトと光学ユニットとを正確に位置決めし、送風ダクトからの冷却空気が光学ユニットへ確実に送風されるプロジェクタを提供する。【解決手段】プロジェクタ１は、光源部から射出された光束を画像信号に応じて変調して投射する光学ユニットと、冷却空気を光学ユニットへ導くための送風ダクト１２と、を備えていて、送風ダクト１２は、光学ユニットとの相対位置を決めるための位置決めボス１３０を有し、位置決めボス１３０で位置決めされた光学ユニットに対して、冷却空気流５３，５４，５５を正確に吹き出して、光学ユニットを確実に冷却する。【選択図】図６
2009145448.tif 000002
【特許請求の範囲】
【請求項１】
光源部から射出された光束を画像信号に応じて変調して投射する投射機構部と、
冷却空気を前記投射機構部へ導くためのダクトと、を備えたプロジェクタであって、
前記ダクトは、前記投射機構部との相対位置を決めるためのダクト位置決め部を有していることを特徴とするプロジェクタ。
【請求項２】
請求項１に記載のプロジェクタにおいて、
前記ダクト位置決め部は、前記投射機構部内の光束を変調する光学変調部を収容する収容部に設けられた収容位置決め部と係合して、前記ダクトと、前記光学変調部と、の位置決めをすることを特徴とするプロジェクタ。
【請求項３】
請求項１または２に記載のプロジェクタにおいて、
前記ダクト位置決め部と前記収容位置決め部は、いずれか一方が係合孔を有し、前記係合孔へ他方が有する係合凸部を挿入して位置決めをすることを特徴とするプロジェクタ。
【請求項４】
請求項３に記載のプロジェクタにおいて、
前記ダクト位置決め部は、円筒形状であり、前記冷却空気を前記ダクト位置決め部に沿って前記投射機構部へ導く構成であることを特徴とするプロジェクタ。
【発明の詳細な説明】
【技術分野】
【０００１】
本発明は、冷却空気を導くためのダクトを備えたプロジェクタに関する。
【背景技術】
【０００２】
従来、１つの吸気口から一対のファンによって冷却空気を取り込み、取り込んだ冷却空気をダクトを介して送風し、プロジェクタの投射機構部（光学系等）を冷却する冷却装置が知られている。この冷却装置は、一対のファンによって冷却空気を導入するため、低回転数で各ファンを回転させても、風量が十分に確保され、しかも、低回転数により静粛な運転が可能である。また、各ファンからの送風方向を同一方向にしてあるため、ダクトとの接続構成が簡略化され、スムーズな送風により各ファンの負荷も低減される（例えば特許文献１）。
【０００３】
【特許文献１】特開２００６−７２０１０号公報
【発明の開示】
【発明が解決しようとする課題】
【０００４】
しかし、従来の技術では、ダクトと投射機構部とがそれぞれ個別に取り付けられ、ダクトの取り付け基準と、投射機構部の取り付け基準と、が異なっていた。そのため、ダクトと投射機構部との相対位置がずれてしまうことがあり、ダクトからの冷却空気が投射機構部の冷却されるべき所定箇所へ十分に送風されない、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例にかかるプロジェクタは、光源部から射出された光束を画像信号に応じて変調して投射する投射機構部と、冷却空気を前記投射機構部へ導くためのダクトと、を備えおり、前記ダクトは、前記投射機構部との相対位置を決めるためのダクト位置決め部を有していることを特徴とする。
【０００７】
このプロジェクタによれば、ダクトは、光束を変調および投射する等の機能を有する投射機構部に対して、ダクトと投射機構部とのそれぞれの相対的な位置ずれが生じないように、位置決めをするためのダクト位置決め部を有している。そのため、別部材であるダクトと投射機構部とが、それぞれの基準に基づく取り付け位置へ、個別に取り付けられる場合であっても、このダクト位置決め部によって、ダクトと投射機構部との相対位置は、ずれることなく正確に設定される。つまり、投射機構部を冷却する冷却空気は、冷却が必要な投射機構部の所定箇所へ、ダクトによって正確に導かれる。これにより、冷却空気は、ダクトと投射機構部との位置ずれにより、冷却不要な箇所等へ無駄に送風されることがなくなり、投射機構部の冷却すべき所定箇所へ効率良く供給される。従って、プロジェクタは、ダクトと位置決めされた投射機構部へ、冷却空気を正確に配風して、効率的な冷却を行うことが可能である。
【０００８】
［適用例２］上記適用例にかかるプロジェクタにおいて、前記ダクト位置決め部は、前記投射機構部内の光束を変調する光学変調部を収容する収容部に設けられた収容位置決め部と係合して、前記ダクトと、前記光学変調部と、の位置決めをすることが好ましい。
【０００９】
この構成によれば、投射機構部の光学変調部は、収容部へ光軸が同一となるように収容配置されている。この場合、ダクト位置決め部は、収容位置決め部と係合する構成であり、収容部を介して、光学変調部との位置決めがなされている。このような位置決め構成により、ダクトから供給される冷却空気は、光学変調部を冷却するように正確に配風される。そのため、プロジェクタは、主要部の光学変調部を重点的に、且つ、効率的に冷却することができ、投射機構部の機能を長期に渡って維持することが可能である。
【００１０】
［適用例３］上記適用例にかかるプロジェクタにおいて、前記ダクト位置決め部と前記収容位置決め部は、いずれか一方が係合孔を有し、前記係合孔へ他方が有する係合凸部を挿入して位置決めをすることが好ましい。
【００１１】
この構成によれば、ダクト位置決め部と、収容位置決め部と、の係合は、係合孔へ係合凸部が挿入して嵌合する構成であって、いずれか一方が係合孔で他方が係合凸部である。このような係合孔と係合凸部とは、嵌め合いによるシンプルな係合方式であり、係合する孔および凸部断面形状が円形状等を含め制約なく設定することが可能である。従って、係合孔および係合凸部のそれぞれを形成し易く設定することができ、組み立て調整等も行い易くなる。
【００１２】
［適用例４］上記適用例にかかるプロジェクタにおいて、前記ダクト位置決め部は、円筒形状であり、前記冷却空気を前記ダクト位置決め部に沿って前記投射機構部へ導く構成であることが好ましい。
【００１３】
この構成によれば、ダクト位置決め部は、投射機構部との位置決めをするだけでなく、円筒形状となっているため、冷却空気は、ダクト位置決め部に沿って効率よく投射機構部へ供給され、ダクト位置決め部で位置決めされた光学変調部等の所定箇所を、確実に冷却することが可能である。
【発明を実施するための最良の形態】
【００１４】
以下、プロジェクタの具体的な実施形態について図面に従って説明する。本実施形態のプロジェクタは、光源部から射出された光束を画像信号に応じて変調して投射するための投射機構部と、投射機構部を冷却するための冷却空気を導く送風ダクト（ダクト）と、を備え、投射機構部と送風ダクトとの位置決めに特徴を有する。
（実施形態）
【００１５】
図１（ａ）は、本実施形態にかかるプロジェクタを正面上方から見た斜視図、図１（ｂ）は、プロジェクタを正面下方から見た斜視図である。図１に示すように、プロジェクタ１は、略直方体形状の外観をなしていて、上部外装２と、下部外装３と、を有している。上部外装２は、プロジェクタ１の上部側に配置され、上面、正面、背面、右側面および左側面を形成している。上部外装２の上面には、背面側左方に位置し、光源部のランプを交換するために開閉可能な光源蓋２ａと、上面の略中央部に位置し、プロジェクタ１を操作するための操作ボタン類を有する操作部２ｂと、正面側右方にあって開閉取っ手８ａにより開閉自在にスライドして、開状態において投射部４５からの光束の投射を可能にし、閉状態において塵埃等の投射部４５への付着を防止するための投射部カバー８と、が設けられている。
【００１６】
そして、下部外装３は、プロジェクタ１の正面、右側面、左側面、背面および下面を形成している。下部外装３の右側面には、プロジェクタ１を冷却する冷却空気をプロジェクタ１の内部へ取り入れるための吸気口６が設けられ、左側面には、プロジェクタ１を冷却した冷却空気を排気するための排気口５が設けられている。さらに、下部外装３の下面３ａには、正面側中央、背面側右方および背面側左方に、プロジェクタ１の傾きを変えて、投射部４５から投射される光束の煽りを調整するための３本の脚部７と、正面側右方に、プロジェクタ１を無線制御するリモコンに対応する受信部９と、が設けられている。このプロジェクタ１は、光束が投射されるスクリーン等を見る側と同じ側に設置されるいわゆるフロントタイプのものである。
【００１７】
次に、プロジェクタ１の上部外装２および下部外装３が収容する内部の構成について説明する。図２は、プロジェクタ内部の構成を示す斜視図である。図２に示すように、プロジェクタ１は、吸気口６から冷却空気を吸引して取り入れるために、下部外装３の底面３ｂに設けられている２つの吸気ファン１０，１１と、吸気口６から吸気ファン１０，１１へ冷却空気を導くための吸気ダクト（不図示）と、を有している。吸気ファン１０，１１は、底面３ｂの右側面の正面側に設けられ、冷却空気の導入口１０ａを有する正面側吸気ファン１０と、右側面の背面側に設けられ、冷却空気の導入口１１ａを有する背面側吸気ファン１１と、から成り、吸気ダクトは、図２において、吸気ファン１０，１１を分かり易く表示するために図示されていないが、吸気口６からプロジェクタ１の正面および背面方向へ向いて、導入口１０ａ，１１ａまで延在している。
【００１８】
また、プロジェクタ１は、正面側吸気ファン１０に隣接し光束を投射する投射部４５と、下部外装３の正面左方にあって一端が排気口５と対向して位置する電源部１４と、電源部１４の背面側に排気口５に対して斜めに対向して位置する排気ユニット１３と、排気ユニット１３から投射部４５にかけて上面側から見て略Ｌ字状に配置された光学ユニット（投射機構部）４（４１，４２，４３，４４）と、を有している。なお、光学ユニット４は、略Ｌ字状のユニット筐体（収容部）４０に収容されて、下部外装３の底面３ｂへ取り付けられている。そして、プロジェクタ１は、吸気ファン１０，１１が取り込んだ冷却空気を導いて、光学ユニット４を冷却するために、ユニット筐体４０の下側に設けられた送風ダクト（ダクト）１２と、光学ユニット４の上方に設けられた制御基板１５と、制御基板１５の背面側に設けられ、外部機器とプロジェクタ１とを接続するための数種の端子を有するコネクタ部１６と、を有している。
【００１９】
プロジェクタ１の主要部である光学ユニット４は、排気ユニット１３の近傍にあり光源部を有するインテグレータ照明部４１と、色分離部４２と、リレー光学部４３と、３枚の液晶パネル（不図示）を光学変調素子として有する光学変調部４４と、を有し、光学変調部４４が投射部４５に接続されている。図２では、液晶パネルと制御基板１５とを接続する３本のＦＰＣ（Frexible Prinnted Circuit board、フレキシブル配線基板）４６が表されている。
【００２０】
以下では、この光学ユニット４について、詳細に説明する。図３は、光学ユニットの構成を示す模式図である。インテグレータ照明部４１は、光学変調部４４を構成する３枚の液晶パネル４４１の画像形成領域をほぼ均一に照明するための光学系であり、光源部４１１と、第１レンズアレイ４１２と、第２レンズアレイ４１３と、偏光変換素子４１４と、重畳レンズ４１５とを備えている。液晶パネル４４１は、赤色光を変調する液晶パネル４４１Ｒと、緑色光を変調する液晶パネル４４１Ｇと、青色光を変調する液晶パネル４４１Ｂと、の３枚である。
【００２１】
光源部４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。光源ランプ４１６としては、この場合ハロゲンランプを採用している。なお、ハロゲンランプ以外に、メタルハライドランプや高圧水銀ランプ等も採用できる。リフレクタ４１７としては、放物面鏡を採用しているが、放物面鏡の代わりに、平行化凹レンズおよび楕円面鏡を組み合わせたものを採用してもよい。
【００２２】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。例えば、液晶パネル４４１の画像形成領域のアスペクト比（横と縦の寸法の比率）が４：３であるならば、各小レンズのアスペクト比も４：３に設定する。
【００２３】
第２レンズアレイ４１３は、第１レンズアレイ４１２と略同様な構成を有しており、小レンズがマトリクス状に配列された構成を有している。この第２レンズアレイ４１３は、重畳レンズ４１５と共に、第１レンズアレイ４１２の各小レンズの像を液晶パネル４４１上に結像させる機能を有する。
【００２４】
偏光変換素子４１４は、第２レンズアレイ４１３と重畳レンズ４１５との間に配置されると共に、第２レンズアレイ４１３と一体でユニット化されている。このような偏光変換素子４１４は、第２レンズアレイ４１３からの光束を１種類の偏光光に変換するものであり、これにより、光学変調部４４での光束の利用効率が高められている。
【００２５】
具体的に述べると、偏光変換素子４１４によって１種類の偏光光に変換された各部分光は、重畳レンズ４１５によって最終的に光学変調部４４の液晶パネル４４１上にほぼ重畳される。偏光光を変調するタイプの液晶パネル４４１を用いたプロジェクタ１では、１種類の偏光光しか利用できないため、他種類のランダムな偏光光を発する光源ランプ４１６からの光束のほぼ半分が利用されない。このため、偏光変換素子４１４を用いることにより、光源ランプ４１６から射出された光束を全て１種類の偏光光に変換し、光学変調部４４での光の利用効率を高めている。
【００２６】
色分離部４２は、２枚のダイクロイックミラー４２１，４２２と、反射ミラー４２３とを備え、ダイクロイックミラー４２１，４２２によりインテグレータ照明部４１から射出された複数の部分光束を赤（Ｒ）、緑（Ｇ）、青（Ｂ）の３色の色光に分離する機能を有している。
【００２７】
リレー光学部４３は、入射側レンズ４３１と、リレーレンズ４３３と、反射ミラー４３２，４３４とを備え、色分離部４２で分離された色光である赤色光を液晶パネル４４１Ｒまで導く機能を有している。
【００２８】
この際、色分離部４２のダイクロイックミラー４２１では、インテグレータ照明部４１から射出された光束の赤色光成分と緑色光成分とが透過し、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸に対して平行な光束に変換する。他の液晶パネル４４１Ｇ，４４１Ｒの光入射側に設けられたフィールドレンズ４１８も同様である。
【００２９】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学部４３を通り、さらにフィールドレンズ４１８を通って、赤色光用の液晶パネル４４１Ｒに到達する。なお、赤色光にリレー光学部４３が用いられているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１８に伝えるためである。
【００３０】
光学変調部４４は、入射された光束を画像情報に応じて変調してカラー画像を形成するものであり、色分離部４２で分離された各色光が入射される３つの入射側偏光板４４２と、各入射側偏光板４４２の後段に配置される液晶パネル４４１Ｒ，４４１Ｇ，４４１Ｂと、各液晶パネル４４１Ｒ，４４１Ｇ，４４１Ｂの後段に配置される射出側偏光板４４３と、色合成のための光学系であるクロスダイクロイックプリズム４４４とを備える。
【００３１】
液晶パネル４４１Ｒ，４４１Ｇ，４４１Ｂは、ポリシリコンＴＦＴをスイッチング素子として用いたものである。光学変調部４４において、色分離部４２で分離された各色光は、これら３枚の液晶パネル４４１Ｒ，４４１Ｇ，４４１Ｂ、入射側偏光板４４２、および射出側偏光板４４３によって、画像情報に応じて変調された光学像を形成する。
【００３２】
入射側偏光板４４２は、色分離部４２で分離された各色光のうち、一定方向の偏光光のみ透過させ、その他の光束を吸収するものであり、サファイヤガラス等の基板に偏光膜が貼付されたものである。射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。これらの入射側偏光板４４２および射出側偏光板４４３は、互いの偏光軸の方向が直交するように設定されている。
【００３３】
クロスダイクロイックプリズム４４４は、射出側偏光板４４３から射出され、色光毎に変調された光学像を合成してカラー画像を形成するものである。クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム４４４で合成されたカラー画像は、投射部４５の投射レンズによって拡大されて投射される。
【００３４】
次に、図４は、吸気ファン、ダクト、ユニット筐体および光学変調部の配置を示す斜視図である。図４に示すように、下部外装３の底面３ｂには、右側面に沿う２つの吸気ファン１０，１１と、吸気ファン１０，１１のそれぞれと接続し、吸気ファン１０，１１からの冷却空気が送風される送風ダクト１２と、が設けられている。送風ダクト１２は、送風ダクト１２から突出して形成されている複数の固定部１２０（図４および図６参照）を介して、底面３ｂへ固定されている。また、ユニット筐体４０は、一部が送風ダクト１２と重なった状態で、送風ダクト１２の上部に配置されており、底面３ｂから立設する立設ピン３１，３２等へ固定されている。
【００３５】
ユニット筐体４０は、送風ダクト１２と重なった部分に、光学ユニット４の主要部であり、光束を変調する機能を維持するために重点的な冷却が行われる光学変調部４４を収容し、さらに、光学変調部４４のクロスダイクロイックプリズム４４４に接続される投射部４５（図２）を支持するための支持枠４０ａを有している。クロスダイクロイックプリズム４４４は、３つの色光の合成によるカラー画像を射出する面が支持枠４０ａと対向しており、支持枠４０ａと対向する面の左右および背面側の各面に、液晶パネル４４１Ｂ、液晶パネル４４１Ｒおよび液晶パネル４４１Ｇがそれぞれ取り付けられている。また、支持枠４０ａに対して下部外装３の正面方向には、支持枠４０ａと共に投射部４５を支持する支持台３３が底面３ｂから立設されている。
【００３６】
次に、図５は、吸気ファンおよび送風ダクトにおける冷却空気の流れを示す斜視図である。図５は、図４に描かれている光学変調部４４を削除し、送風ダクト１２で導かれる冷却空気の流れを示している。図５に示すように、正面側吸気ファン１０から送風ダクト１２へ送られる冷却空気は、冷却空気流５０を形成し、送風ダクト１２の流入部１２１へ流入する。そして、冷却空気流５０は、２つの冷却空気流５０ａ，５０ｂに分かれて、送風ダクト１２内を流れる。分流した冷却空気流５０ａは、冷却空気流５３および冷却空気流５５として送風ダクト１２からユニット筐体４０の方向へ吹き出して、冷却空気流５３が液晶パネル４４１Ｒ（図４）近傍を冷却し、冷却空気流５５が液晶パネル４４１Ｂ（図４）近傍を冷却する。また、冷却空気流５０ｂは、送風ダクト１２でインテグレータ照明部４１の偏光変換素子４１４（図３）の位置まで導かれ、冷却空気流５２として送風ダクト１２から吹き出して偏光変換素子４１４近傍を冷却する。
【００３７】
一方、背面側吸気ファン１１から送風ダクト１２へ送られる冷却空気は、冷却空気流５１を形成し、送風ダクト１２の流入部１２２へ流入する。そして、冷却空気流５１は、冷却空気流５４および冷却空気流５５として送風ダクト１２からユニット筐体４０の方向へ吹き出して、冷却空気流５４が液晶パネル４４１Ｇ（図４）近傍を冷却し、冷却空気流５５が液晶パネル４４１Ｂ近傍を冷却する。ここで、冷却空気流５５は、冷却空気流５０ａと冷却空気流５１との双方で形成されていて、吸気ファン１０，１１から離れた液晶パネル４４１Ｂ近傍を冷却するための風量が、十分確保されるようになっている。
【００３８】
次に、送風ダクト１２について、さらに詳細を説明する。図６は、下部外装へ取り付けられた送風ダクトを示す斜視図であり、図５に描かれているユニット筐体４０を削除した図である。また、図７は、送風ダクトの単体を詳細に示す斜視図であり、下部外装３の底面３ｂへ取り付けられる側から送風ダクト１２を見た図である。図６および図７に示すように、送風ダクト１２には、ユニット筐体４０（図５）の方向へ冷却空気を吹き出すための流出口が設けられている。それら流出口は、流入部１２１から流入した冷却空気流５０ｂを冷却空気流５２として吹き出すための流出口１２３と、流入部１２１から流入した冷却空気流５０ａを冷却空気流５３として吹き出すための流出口１２４と、同じく冷却空気流５０ａを冷却空気流５５として吹き出すための流出口１２６と、流入部１２２から流入した冷却空気流５１を冷却空気流５４として吹き出すための流出口１２５と、同じく冷却空気流５１を冷却空気流５５として吹き出すための流出口１２６と、である。
【００３９】
送風ダクト１２は、吸気ファン１０，１１から送られた冷却空気を流出口１２３，１２４，１２５，１２６のそれぞれへ配風するために、冷却空気流５０，５１，５２，５３，５４，５５毎の流れを形成するように仕切った隔壁と、下部外装３から立設する立設ピン３２を通すための貫通ピン孔１２８と、立設ピン３１との干渉を避けるための逃げ部１２９と、を有している。また、送風ダクト１２には、光学変調部４４のクロスダイクロイックプリズム４４４（図４）の位置に、下部外装３およびユニット筐体４０（図４）との位置決めをするための円筒状の位置決めボス（ダクト位置決め部）１３０が設けられている。位置決めボス１３０は、円筒状の一端にユニット筐体４０と係合して相互の位置決めをする係合凸部１３０ａと、円筒状の他端に下部外装３と係合して相互の位置決めをする段部１３０ｂと、を有している。これら係合の詳細は、図８を参照して後述する。
【００４０】
この場合、位置決めボス１３０は、係合凸部１３０ａがユニット筐体４０との位置決めをしており、ユニット筐体４０に収容される光学変調部４４（図４）のクロスダイクロイックプリズム４４４との位置が正確に設定される。これにより、送風ダクト１２は、クロスダイクロイックプリズム４４４に取り付けられている液晶パネル４４１とも、正確に位置決めされる。従って、位置決めボス１３０の近傍に配置されている流出口１２４、流出口１２５および流出口１２６は、液晶パネル４４１Ｒ、液晶パネル４４１Ｇおよび液晶パネル４４１Ｂに対して、冷却空気流５３、冷却空気流５４および冷却空気流５５をそれぞれ正確に導くことができる。即ち、冷却空気が冷却不要な箇所に無駄に流れることがなく、冷却空気は、光学変調部４４を効率的且つ確実に冷却することができる。
【００４１】
そして、位置決めボス１３０は、図７に示すように、下部外装３と係合する段部１３０ｂの側において、円筒状の周囲が冷却空気流５０ａの流れるための空間になっている。そのため、冷却空気流５０ａは、位置決めボス１３０に沿って流出口１２４または流出口１２６の方向へ流れ、冷却空気流５３または冷却空気流５５として、光学変調部４４（図４）へ向けて吹き出すようになっている。このように、送風ダクト１２は、位置決めボス１３０が円筒状に形成されている為、冷却空気流５０ａを位置決めボス１３０によって遮られずに、逆に、位置決めボス１３０に沿って効率よく流すことができる構成である。そのため、流出口１２４および流出口１２６を位置決めボス１３０の直近に設けることができ、冷却空気をより正確に効率よく光学変調部４４へ配風することができる。
【００４２】
次に、位置決めボス１３０による係合の詳細について説明する。図８は、位置決めボスによる送風ダクトと下部外装とユニット筐体との位置決めを示す断面図である。図８に示すように、下部外装３には、位置決めボス１３０の段部１３０ｂと係合するための円柱状の穴である段受部３ｃが設けられ、ユニット筐体４０には、位置決めボス１３０の係合凸部１３０ａと係合するための円状の貫通孔である係合孔４０ｂ（収容位置決め部）が設けられている。送風ダクト１２とユニット筐体４０とは、これら係合凸部１３０ａと係合孔４０ｂとによる位置決めを基準にして、送風ダクト１２が固定部１２０（図６）によって下部外装３に固定され、ユニット筐体４０が下部外装３に立設された立設ピン３１，３２（図４）等へ固定されている。
【００４３】
これにより、送風ダクト１２とユニット筐体４０とは、それぞれ個別に下部外装３へ取り付けられていても、係合凸部１３０ａと係合孔４０ｂとの係合による位置決めによって、常に、相対位置がずれることなく配置される。よって、吸気口６（図２）から導入された冷却空気は、送風ダクト１２で、光学ユニット４の光学変調部４４（図２）へ正確に且つ無駄なく配風され、光学変調部４４を確実に冷却することができる。なお、この構成において、吸気口６、吸気ファン１０，１１、送風ダクト１２、排気ユニット１３および排気口５は、冷却装置として機能する。
【００４４】
以下、実施形態の主な効果をまとめて記載する。
【００４５】
プロジェクタ１は、送風ダクト１２と光学ユニット４を収容するユニット筐体４０とが、それぞれ位置決め部としての位置決めボス１３０と、係合孔４０ｂと、を有している。これら位置決め部によって、送風ダクト１２と光学ユニット４の光学変調部４４とは、位置ずれなく正確に配置される。これにより、冷却空気は、送風ダクト１２を介して光学変調部４４へ正確に導かれ、光学変調部４４を効率的に冷却できる。
【００４６】
また、位置決め部は、円状の係合孔４０ｂへ、位置決めボス１３０の円筒状の係合凸部１３０ａが嵌め合いによって係合する方式であり、円形の係合孔４０ｂおよび係合凸部１３０ａは、容易に形成できると共に、それぞれを係合させての取り付けも容易に行える。
【００４７】
送風ダクト１２は、光学変調部４４に対する位置決めをする位置決めボス１３０の近傍に、流出口１２４，１２５，１２６を有していて、２つの吸気ファン１０，１１からの冷却空気を円筒状の位置決めボス１３０に沿って配風することができる。これにより、流出口１２４，１２５，１２６のそれぞれから、位置決めボス１３０で位置決めされた光学変調部４４へ正確に効率よく冷却空気を吹き出すことができ、光学変調部４４を効率的に冷却できる。
【００４８】
また、プロジェクタ１は、上記の実施形態に限定されるものではなく、次に挙げる変形例のような形態であっても、実施形態と同様な効果が得られる。
【００４９】
送風ダクト１２の位置決めボス１３０は、円筒状であって、ユニット筐体４０の係合孔４０ｂへ位置決めボス１３０の係合凸部１３０ａを挿入して位置決めする簡便な構成である。しかし、送風ダクト１２は、この構成に限定されるものではなく、ユニット筐体４０に係合凸部１３０ａが形成され、位置決めボス１３０に係合孔４０ｂが形成された構成であっても良い。さらに、送風ダクト１２およびユニット筐体４０にそれぞれ設けた孔部へ、ピンを貫通させて、送風ダクト１２とユニット筐体４０との位置決めをする形態等、他の位置決め方式であっても良い。
【００５０】
また、送風ダクト１２の位置決めボス１３０は、光学変調部４４の位置において、ユニット筐体４０との位置決めをしている構成であるが、他の位置において、ユニット筐体４０との位置決めをしても良い。ユニット筐体４０が光学ユニット４を正確に収容していれば、光学変調部４４へ冷却空気を正確に吹き出すことができる。
【００５１】
吸気ファン１０，１１は、プロジェクタ１の右側面に設けられた吸気口６から冷却空気を導入して、送風ダクト１２へ送っているが、吸気ファン１０，１１の導入口１０ａ，１１ａを下部外装３の下面３ａ側へ向け、下面３ａに吸気口を設ける構成であっても良い。これにより、プロジェクタ１は、吸気ダクトが不要で簡素な構成となる。また、吸気ファン１０，１１は、２つに限らず、３つ以上あるいは１つだけの構成であっても良い。
【００５２】
プロジェクタ１は、光学変調部４４として液晶パネル４４１を用いているが、液晶パネル４４１以外のマイクロミラー等のデバイスを用いたものであっても良い。
【図面の簡単な説明】
【００５３】
【図１】（ａ）本実施形態にかかるプロジェクタを正面上方から見た斜視図、（ｂ）プロジェクタを正面下方から見た斜視図。
【図２】プロジェクタ内部の構成を示す斜視図。
【図３】光学ユニットの構成を示す模式図。
【図４】吸気ファン、ダクト、ユニット筐体および光学変調部の配置を示す斜視図。
【図５】吸気ファンおよび送風ダクトにおける冷却空気の流れを示す斜視図。
【図６】下部外装へ取り付けられた送風ダクトを示す斜視図。
【図７】送風ダクトの単体を詳細に示す斜視図。
【図８】位置決めボスによる送風ダクトと下部外装とユニット筐体との位置決めを示す断面図。
【符号の説明】
【００５４】
１…プロジェクタ、２…上部外装、３…下部外装、３ａ…下面、３ｂ…底面、３ｃ…段受部、４…光学ユニット、５…排気口、６…吸気口、１０，１１…吸気ファン、１２…送風ダクト、１３…排気ユニット、３１，３２…立設ピン、４０…ユニット筐体、４０ｂ…係合孔、５０，５１，５２，５３，５４，５５…冷却空気流、１２０…固定部、１２１，１２２…流入部、１２３，１２４，１２５，１２６…流出口、１３０…位置決めボス、１３０ａ…係合凸部、１３０ｂ…段部。
【図１】
2009145448.tif 000003
【図２】
2009145448.tif 000004
【図３】
2009145448.tif 000005
【図４】
2009145448.tif 000006
【図５】
2009145448.tif 000007
【図６】
2009145448.tif 000008
【図７】
2009145448.tif 000009
【図８】
2009145448.tif 000010